(57)【要約】【課題】装置の小型化を実現しつつ、紙幣の表裏を反転させることが可能な紙幣処理装置を提供する。【解決手段】紙幣が投入される接客部と、紙幣の金種、表裏状態および記番号を判定する判定部と、前記接客部から前記判定部への紙幣の繰出し、金種が第１の金種であり、かつ、表裏が第１の状態であると前記判定部により判定された紙幣の所定の搬送先への搬送、および他の紙幣の前記接客部への搬送を繰り返す搬送部と、前記他の紙幣について前記判定部により判定された記番号および金種を記憶する記憶部と、前記記憶部を参照し、前記他の紙幣のうちで金種が前記第１の金種である紙幣が全て前記所定の搬送先へ搬送されたと判断すると、前記接客部から前記判定部への紙幣の繰出しを前記搬送部に停止させる制御部と、を備える、紙幣処理装置。【選択図】図４
2016071574.tif 000002
【特許請求の範囲】
【請求項１】
紙幣が投入される接客部と、
紙幣の金種、表裏状態および記番号を判定する判定部と、
前記接客部から前記判定部への紙幣の繰出し、金種が第１の金種であり、かつ、表裏が第１の状態であると前記判定部により判定された紙幣の所定の搬送先への搬送、および他の紙幣の前記接客部への搬送を繰り返す搬送部と、
前記他の紙幣について前記判定部により判定された記番号および金種を記憶する記憶部と、
前記記憶部を参照し、前記他の紙幣のうちで金種が前記第１の金種である紙幣が全て前記所定の搬送先へ搬送されたと判断すると、前記接客部から前記判定部への紙幣の繰出しを前記搬送部に停止させる制御部と、
を備える、紙幣処理装置。
【請求項２】
前記接客部は、
紙幣の繰出口と、
前記搬送部により搬送された前記紙幣を受け入れる受入口と、
を有し、
前記搬送部は、前記受入口から受け入れた紙幣を前記繰出口から搬送する際に、前記受入口から受け入れた紙幣の後側から繰り出す、請求項１に記載の紙幣処理装置。
【請求項３】
前記紙幣処理装置は、
紙幣を結束する紙幣結束部と、
前記紙幣結束部により結束される紙幣が集積される結束紙幣集積部と、をさらに備え、
前記搬送部は、前記所定の搬送先として前記結束紙幣集積部へ搬送する、請求項１または２に記載の紙幣処理装置。
【請求項４】
前記制御部は、前記結束紙幣集積部へ搬送される紙幣の記番号が前記記憶部に記憶されている場合、当該紙幣の記番号および金種を削除する処理を行う、請求項３に記載の紙幣処理装置。
【請求項５】
前記制御部は、前記記憶部を参照し、前記第１の金種が前記記憶部に記憶されていない場合、前記第１の金種である紙幣が全て前記所定の搬送先へ搬送されたと判断する、請求項４に記載の紙幣処理装置。
【請求項６】
前記紙幣結束部および前記結束紙幣集積部は、前記接客部、前記判定部、および前記搬送部よりも上方に設けられる、請求項３〜５のいずれか１項に記載の紙幣処理装置。
【請求項７】
前記結束紙幣集積部は、１つである、請求項３〜６のいずれか１項に記載の紙幣処理装置
【請求項８】
前記第１の状態は、裏状態である、請求項１〜７のいずれか１項に記載の紙幣処理装置。
【発明の詳細な説明】
【技術分野】
【０００１】
本発明は、紙幣処理装置に関する。
【背景技術】
【０００２】
従来、出納システムは、金融機関内等に設置されており、例えば紙幣を入出する紙幣入出金機や紙幣を所定枚数ごとに施封する施封小束支払機等、紙幣や硬貨の取引に関する種々の処理を行う複数種類の装置の組み合わせにより構成されている。
【０００３】
このうち施封小束支払機は、例えば紙幣入出金機から入金された紙幣の種別を判別し、種別毎に集積した所定枚数（例えば１００枚）の紙幣を施封して紙幣小束を排出する機能を有する。ここで、施封する紙幣は表裏が揃っている必要があるが、紙幣入出金機から入金される紙幣は表裏が揃っていないことが一般的である。したがって、従来の施封小束支払機には、紙幣の表裏を反転させる表裏反転機構が設けられていた。
【０００４】
また、下記特許文献１では、施封用紙幣として紙幣を表向きで集積する際に、裏向きの紙幣は一時保留部へ搬送して排除し、表向きの紙幣のみを集積することで、紙幣の表裏を揃えている。
【先行技術文献】
【特許文献】
【０００５】
【特許文献１】ＷＯ２００９−１１８８３９号公報
【発明の概要】
【発明が解決しようとする課題】
【０００６】
しかしながら、上述した表裏反転機構を紙幣処理装置に実装すると、装置サイズが大きくなってしまい、表裏反転機構を実装した上で装置サイズを小さくしようとすると、現金容量（紙幣カセットの容量）が小さくなってしまうという問題があった。また、紙幣処理装置の接客部からは施封対象の金種以外の金種も投入されることがあるので、このような他の金種やリジェクト紙幣等を隔離するための一時保留部や別の貯留部も実装する必要があり、装置サイズを小さくすることは難しかった。
【０００７】
また、表裏反転機構を有さない紙幣処理装置の場合、オペレータが予め紙幣カセットに表裏を揃えた紙幣を装填しなければならず、手間がかかっていた。また、上記特許文献１では、裏向き紙幣を排除してしまうため、紙幣処理装置に収納されている現金を有効利用することができなかった。
【０００８】
そこで、本発明は、上記問題に鑑みてなされたものであり、本発明の目的とするところは、装置の小型化を実現しつつ、紙幣の表裏を反転させることが可能な、新規かつ改良された紙幣処理装置を提供することにある。
【課題を解決するための手段】
【０００９】
上記課題を解決するために、本発明のある観点によれば、紙幣が投入される接客部と、紙幣の金種、表裏状態および記番号を判定する判定部と、前記接客部から前記判定部への紙幣の繰出し、金種が第１の金種であり、かつ、表裏が第１の状態であると前記判定部により判定された紙幣の所定の搬送先への搬送、および他の紙幣の前記接客部への搬送を繰り返す搬送部と、前記他の紙幣について前記判定部により判定された記番号および金種を記憶する記憶部と、前記記憶部を参照し、前記他の紙幣のうちで金種が前記第１の金種である紙幣が全て前記所定の搬送先へ搬送されたと判断すると、前記接客部から前記判定部への紙幣の繰出しを前記搬送部に停止させる制御部と、を備える、紙幣処理装置が提供される。
【００１０】
前記接客部は、紙幣の繰出口と、前記搬送部により搬送された前記紙幣を受け入れる受入口と、を有し、前記搬送部は、前記受入口から受け入れた紙幣を前記繰出口から搬送する際に、前記受入口から受け入れた紙幣の後側から繰り出してもよい。
【００１１】
前記紙幣処理装置は、紙幣を結束する紙幣結束部と、前記紙幣結束部により結束される紙幣が集積される結束紙幣集積部と、をさらに備え、前記搬送部は、前記所定の搬送先として前記結束紙幣集積部へ搬送してもよい。
【００１２】
前記制御部は、前記結束紙幣集積部へ搬送される紙幣の記番号が前記記憶部に記憶されている場合、当該紙幣の記番号および金種を削除する処理を行ってもよい。
【００１３】
前記制御部は、前記記憶部を参照し、前記第１の金種が前記記憶部に記憶されていない場合、前記第１の金種である紙幣が全て前記所定の搬送先へ搬送されたと判断してもよい。
【００１４】
前記紙幣結束部および前記結束紙幣集積部は、前記接客部、前記判定部、および前記搬送部よりも上方に設けられてもよい。
【００１５】
前記結束紙幣集積部は、１つであってもよい。
【００１６】
前記第１の状態は、裏状態であってもよい。
【発明の効果】
【００１７】
以上説明したように本発明によれば、装置の小型化を実現しつつ、紙幣の表裏を反転させることが可能である。
【図面の簡単な説明】
【００１８】
【図１】本発明の実施形態である現金処理装置の外観構成を示した説明図である。
【図２】本実施形態による現金処理装置の内部構成を示すブロック図である。
【図３】本実施形態による紙幣処理部の内部構成を示した説明図である。
【図４】本実施形態による整理施封の流れを説明する図である。
【図５】本実施形態による現金処理装置の接客部における紙幣の表裏反転について説明する図である。
【図６】本実施形態による整理施封取引の動作を示すフローチャートである。
【図７】本実施形態による整理施封取引の動作を示すフローチャートである。
【図８】図６に示す整理施封計数処理を示すフローチャートである。
【図９】図６に示す整理施封計数処理を示すフローチャートである。
【図１０】図６に示す整理施封計数処理を示すフローチャートである。
【図１１】本実施形態による紙幣情報のデータ例を示す図である。
【発明を実施するための形態】
【００１９】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２０】
本発明は、以下本明細書において詳細に説明するような多様な形態で実施され得る。また、本実施形態による紙幣処理装置（現金処理装置１０）は、
Ａ．紙幣が投入される接客部（１）と、
Ｂ．紙幣の金種、表裏状態および記番号を判定する判定部（鑑別部２）と、
Ｃ．前記接客部から前記判定部への紙幣の繰出し、金種が第１の金種であり、かつ、表裏が第１の状態であると前記判定部により判定された紙幣の所定の搬送先への搬送、および他の紙幣の前記接客部への搬送を繰り返す搬送部（搬送路６）と、
Ｄ．前記他の紙幣について前記判定部により判定された記番号および金種を記憶する記憶部（１８）と、
Ｅ．前記記憶部を参照し、前記他の紙幣のうちで金種が前記第１の金種である紙幣が全て前記所定の搬送先へ搬送されたと判断すると、前記接客部から前記判定部への紙幣の繰出しを前記搬送部に停止させる制御部（１７）と、
を有する。
【００２１】
このような現金処理装置１０について、まずは概要を説明する。
【００２２】
＜１．現金処理装置の概要＞
［１−１．現金処理装置の外観構成］
図１は、本発明の実施形態である現金処理装置１０の外観構成を示した説明図である。本実施形態による現金処理装置１０は、図１に示すように、装置正面右側に紙幣投入口１１ａおよび紙幣異物返却口１１ｂが設けられ、装置正面左側に硬貨投入口１２ａ、硬貨リジェクト口１２ｂ、硬貨返却口１２ｃ、釣銭出金口１２ｄ、および硬貨出金口１２ｅが設けられ、装置上側にカード挿入排出口１３ａ、印字部（レシートプリンタ）１４、表示部１６、および小束出金口（シャッタ９）が設けられている。
【００２３】
紙幣投入口１１ａは、入金取引における紙幣の投入口および出金取引における紙幣の受取口である。紙幣異物返却口１１ｂは、紙幣投入口１１ａに誤って投入された硬貨等の異物を返却する。
【００２４】
硬貨投入口１２ａは、入金取引における硬貨の投入口である。硬貨リジェクト口１２ｂは、硬貨投入口１２ａから投入された硬貨のうち、計数において硬貨鑑別部（不図示）により異常と認識された硬貨が返却される返却口である。硬貨返却口１２ｃは、計数済み硬貨の返却口である。釣銭出金口１２ｄは、計数された釣銭の受取口である。硬貨出金口１２ｅは、出金取引における出金硬貨の受取口である。
【００２５】
カード挿入排出口１３ａは、管理者等の操作者（オペレータ）のカードの挿入および排出を行う。
【００２６】
印字部（レシートプリンタ）１４は、取引明細等を印字したレシートの排出を行う。
【００２７】
表示部１６は、操作画面や取引内容を表示する。表示部１６は、例えばタッチパネルにより実現され、操作部１５（図２参照）としても機能する。また、図１に示すように、表示部１６の隣にはテンキーが設けられている。
【００２８】
小束出金口（シャッタ９）は、施封部８（図３参照）により施封された小束紙幣の排出を行う。
【００２９】
以上説明した現金処理装置１０は、例えば金融機関の営業店において接客用カウンタの後方に設置され、金銭に関する入金や出金等の各種処理を総合的に実行する。
【００３０】
［１−２．現金処理装置の内部構成］
次に、図２を参照して本実施形態による現金処理装置１０の内部構成について説明する。図２は、本実施形態による現金処理装置１０の内部構成を示すブロック図である。
【００３１】
図２に示すように、現金処理装置１０は、紙幣処理部１１、硬貨処理部１２、カードリーダ部１３、印字部１４、操作部１５、表示部１６、制御部１７、および記憶部１８を有する。
【００３２】
紙幣処理部１１は、紙幣投入口１１ａから投入される入金紙幣を鑑別、計数して紙幣収納部に収納する入金処理、および指定された金種、金額の紙幣を紙幣収納部から繰り出して鑑別、計数した後、紙幣投入口１１ａから出金する出金処理を行う。また、紙幣処理部１１は、施封部８（図３参照）を有し、施封部８により所定枚数の紙幣を施封して小束出金口（シャッタ９）から小束紙幣を出金する。また、紙幣処理部１１は、紙幣投入口１１ａに誤って投入された硬貨等の異物を紙幣異物返却口１１ｂから返却する。
【００３３】
硬貨処理部１２は、硬貨投入口１２ａから投入される入金硬貨を鑑別、計数して硬貨収納部に収納する入金処理、および指定された金種、金額の硬貨を硬貨収納部から繰り出して鑑別、計数した後、硬貨出金口１２ｅから出金する出金処理を行う。また、硬貨処理部１２は、上述した硬貨リジェクト口１２ｂ、硬貨返却口１２ｃ、および釣銭出金口１２ｄを有する。
【００３４】
カードリーダ部１３は、カード挿入排出口１３ａから挿入された管理者や操作者のカードからデータを読み取り、装置へのログインやオペレータ認識等を行う。また、カードリーダ部１３は、取引終了後にカード挿入排出口１３ａからカードを排出する。
【００３５】
印字部１４は、上述したように、取引終了後に取引内容を印字した明細票（レシート）を排出する。
【００３６】
操作部１５は、管理者や操作者の操作を検出する。例えば、操作部１５は、タッチパネルおよびテンキーにより実現される。
【００３７】
表示部１６は、上述したように、操作画面や取引内容を表示する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３８】
なお、図１においては表示部１６と操作部１５が一体的に構成される例（すなわちタッチパネルディスプレイ）を示しているが、表示部１６および操作部１５の機能は分離して構成されてもよい。
【００３９】
制御部１７は、記憶部１８に格納されている制御プログラムに基づいて現金処理装置１０の各構成を制御する。また、制御部１７は、記憶部１８に格納されている画面を表示部１６に表示して各種の取引を遂行する。また、本実施形態による制御部１７は、紙幣処理部１１の搬送路６ａ〜６ｎ（図３参照）を制御することにより、入金、集積、出金および紙幣移動などの基本動作を制御する。
【００４０】
記憶部１８は、取引時における入力データ等を記憶する他、現金処理装置１０の動作を制御するための制御プログラムが格納されている。また、取引選択画面、各取引における処理ステップ毎の案内画面、および入力画面等も記憶部１８に格納されている。
【００４１】
本発明の実施形態は、上述した現金処理装置１０の紙幣処理部１１における小束施封処理に関する。以下、本実施形態による紙幣処理部１１の構成を説明した後に、本発明の実施形態による整理施封取引について詳細に説明する。
【００４２】
＜２．紙幣処理部１１の構成＞
図３は、紙幣処理部１１の内部構成を示した説明図である。図３に示したように、紙幣処理部１１は、接客口１９を含む接客部１、鑑別部２、一時保留部３、紙幣カセット４ａ〜４ｄ、リジェクト庫５、搬送路６ａ〜６ｍ、施封紙幣集積部７（結束紙幣集積部）、施封部８（紙幣結束部）、およびシャッタ９（小束出金口）を備える。なお図３に示す紙幣処理部１１は側面図であって、右側が装置正面となっている。
【００４３】
接客部１は、入金取引時に操作者により紙幣投入口１１ａから接客口１９に投入された（入金された）紙幣を分離したり、出金取引時に操作者に出金する紙幣を集積したりするための構成である。
【００４４】
鑑別部２は、操作者の入金した紙幣、または操作者に出金する紙幣の鑑別を行う。具体的には、鑑別部２は、搬送路６を通って搬送された紙幣の金種、真偽、正損および走行状態などを鑑別する。
【００４５】
一時保留部３は、入金取引時に接客部１で分離されて鑑別部２により正常と鑑別された紙幣を一時的に集積する。一時保留部３に集積された紙幣は、鑑別部２を経て紙幣カセット４ａ〜４ｄなどへ搬送され、入金した紙幣の口座計上などが確定し、取引が成立する。また、一時保留部３は、紙幣カセット４ａ〜４ｄ間の紙幣移動の際にも用いられる。
【００４６】
紙幣カセット４ａ〜４ｄは、操作者の入金した紙幣、出金するための紙幣、および他の紙幣カセット４から分離された紙幣などを集積する紙幣集積部である。紙幣カセット４ａ〜４ｄは、同一金種のための複数の紙幣カセットを含んでもよい。例えば、紙幣カセット４ａおよび４ｃが一万円札用の紙幣カセットであり、紙幣カセット４ｂおよび４ｄが千円札用の紙幣カセットであってもよい。なお、紙幣カセット４ａ〜４ｄは、紙幣処理部１１に対して着脱可能な構造になっており、個別に交換することで紙幣カセット４ａ〜４ｄに紙幣を装填することも可能である。
【００４７】
リジェクト庫５は、出金取引時または入金取引時に鑑別部２によって金種不明と鑑別された入金、支払不可の紙幣を集積する。
【００４８】
搬送路６ａ〜６ｎは、紙幣を搬送するための構成である。各搬送路６ａ〜６ｎは、制御部１７による制御に従ってＤＣサーボモータまたはパルスモータなどが回転することにより、紙幣を目的の搬送先へ搬送することが可能である。
【００４９】
施封紙幣集積部７は、施封部８により施封される紙幣が集積される紙幣集積部である。施封紙幣集積部７は、施封する所定枚数（例えば１００枚）の紙幣を集積後、施封部８に紙幣を搬送する。
【００５０】
施封部８は、施封紙幣集積部７から搬送された所定枚数の紙幣をテープで結束（施封）し、結束した小束紙幣をシャッタ９から排出する。
【００５１】
シャッタ９は、施封部８により施封された小束紙幣を排出する小束出金口であって、施封部８により小束紙幣が排出される際に開き、操作者が小束紙幣を受け取ると閉じる。
【００５２】
上述した施封紙幣集積部７、施封部８、およびシャッタ９は、図３に示すように、紙幣処理部１１の上方、より具体的には、接客部１、鑑別部２、一時保留部３、紙幣カセット４ａ〜４ｄ、リジェクト庫５、および搬送路６ａ〜６ｍよりも上部に配置されている。このように、施封紙幣集積部７および施封部８を上部に設けることで、操作者は立ったまま小束を受け取ることができ、作業の利便性を向上させることができる。また、本実施形態では、図３に示すように、施封紙幣集積部７と施封部８を共に１つずつ設けることで、省スペース化を図ることができる。上記特許文献１（ＷＯ２００９−１１８８３９号公報）のように２つの施封紙幣集積部が設けられている場合、例えば一方に表紙幣、他方に裏紙幣を搬送して表裏を揃えることも可能であるが、本実施形態では省スペース化を実現するために施封紙幣集積部が１つであっても施封紙幣の表裏を揃えることができる。
【００５３】
なお図３には図示しないが、搬送路６ａ〜６ｎが搬送する紙幣や、各分離部（具体的には、接客部１、一時保留部３、紙幣カセット４ａ〜４ｄ、リジェクト庫５）から分離される紙幣の通過、到達は、搬送路６上や各分離部に設けられている光学センサの検知結果に基づいて制御部１７により判断される。また、目的の搬送先へ搬送するために搬送路の分岐にはブレードが実装され、制御部１７は当該ブレードを切り替えることで紙幣を所定の搬送先へ搬送させる。
【００５４】
また、本実施形態による紙幣処理部１１は、紙幣の表裏を反転させるためだけの従来の表裏反転機構を有さないことで、装置サイズを小さくすることができる。
【００５５】
（基本動作）
入金取引においては、まず、接客部１から紙幣が１枚ずつ分離され、分離された紙幣は搬送路６ａを経て鑑別部２へ搬送される。そして、鑑別部２による鑑別結果が正常であった紙幣は搬送路６ｃおよび６ｄを経て一時保留部３に集積される。一方、鑑別部２による鑑別結果が異常であった紙幣は搬送路６ｃおよび６ｅを経て接客部１に集積される。その後、操作者により入金金額の確認操作が行われると、集積処理に移行する。
【００５６】
集積処理においては、まず、一時保留部３から紙幣が１枚ずつ分離され、分離された紙幣は搬送路６ｄおよび６ｃを経て鑑別部２へ搬送される。そして、鑑別部２による鑑別結果が正常であった紙幣は、搬送路６ｂ、６ｆ〜６ｋを経て金種に対応する紙幣カセット４ａ〜４ｄに集積される。一方、汚損券、折れ紙幣、二千円札、スキュー紙幣などの走行異常紙幣のように、鑑別部２による鑑別結果が異常であった紙幣は、搬送路６ｇおよび６ｌを経てリジェクト庫５に集積される。
【００５７】
紙幣移動においては、まず、紙幣カセット４ａ〜４ｄのうちの移動元の紙幣カセットから紙幣が分離され、分離された紙幣は搬送路６ｆ〜６ｋ、６ｂを経て鑑別部２へ搬送される。そして、鑑別部２による鑑別結果が正常であった紙幣は搬送路６ｃおよび６ｄを経て一時保留部３へ搬送される。一方、鑑別部２による鑑別結果が異常であった紙幣は、搬送路６ｃおよび６ｍを経てリジェクト庫５に集積される。
【００５８】
その後、一時保留部３から紙幣カセット４ａ〜４ｄのうちの移動先の紙幣カセットに紙幣が搬送される。具体的には、一時保留部３から紙幣が１枚ずつ分離され、分離された紙幣は搬送路６ｄおよび６ｃを経て鑑別部２へ搬送される。そして、鑑別部２による鑑別結果が正常であった紙幣は、搬送路６ｂ、６ｆ〜６ｋを経て移動先の紙幣カセットに集積される。一方、鑑別部２による鑑別結果が異常であった紙幣は、搬送路６ｇおよび６ｌを経てリジェクト庫５に集積される。
【００５９】
通常の出金取引においては、まず、操作者により指定された金額に応じて紙幣カセット４ａ〜４ｄから紙幣が１枚ずつ分離され、分離された紙幣は搬送路６ｆ〜６ｋおよび６ｂを経て鑑別部２へ搬送される。
【００６０】
そして、鑑別部２による鑑別結果が正常であった紙幣は、搬送路６ｃおよび６ｅを経て接客部１に集積される。一方、鑑別部２による鑑別結果が異常であった紙幣、すなわち、操作者に支払いできない紙幣は、搬送路６ｃおよび６ｍを経てリジェクト庫５に集積される。
【００６１】
小束紙幣の出金取引においては、まず、操作者により指定された金種および束数（または枚数）に応じて紙幣カセット４ａ〜４ｄから紙幣が１枚ずつ分離され、分離された紙幣は搬送路６ｆ〜６ｋおよび６ｂを経て鑑別部２へ搬送される。
【００６２】
そして、鑑別部２による鑑別結果が正常であり、かつ表裏が所定の状態である紙幣は、搬送路６ｃおよび６ｎを経て施封紙幣集積部７に集積される。施封紙幣集積部７に所定枚数の紙幣が集積されると、施封部８へ搬送され、施封部８において紙幣の施封が行われ、シャッタ９から排出される。
【００６３】
整理施封取引においては、まず、接客部１から紙幣が１枚ずつ分離され、分離された紙幣は搬送路６ａを経て鑑別部２へ搬送される。そして、鑑別部２による鑑別結果が正常であり、指定された金種であって、かつ表裏が所定の状態である紙幣は搬送路６ｃおよび６ｎを経て施封紙幣集積部７に集積される。施封紙幣集積部７に所定枚数の紙幣が集積されると、施封部８へ搬送され、施封部８において紙幣の施封が行われ、シャッタ９から排出される。
【００６４】
（整理施封取引の課題）
しかし、上記の整理施封取引では、施封時に紙幣の表裏が揃っていることが必要であるため、操作者は表裏を揃えて接客部１に紙幣を投入しなければならなかった。
【００６５】
そこで、上記事情を一着眼点にして本発明の実施形態による現金処理装置１０を創作するに至った。本発明の実施形態による現金処理装置１０は、整理施封取引時において接客部を介して紙幣の表裏を反転させ、接客部からの分離停止制御を紙幣の記番号に基づいて行うことが可能である。以下、このような本発明の実施形態による整理施封取引について詳細に説明する。
【００６６】
＜３．整理施封取引＞
本実施形態では、整理施封取引で接客部１を用いて紙幣の表裏反転を実現することで、操作者の手間を省く紙幣処理部１１を提案する。
【００６７】
図４は、本実施形態による整理施封取引の流れを示した説明図である。図４に示したように、まず、接客部１から紙幣が分離され、分離された紙幣が搬送路６ａを経て鑑別部２へ搬送される。そして、制御部１７は、鑑別部２による鑑別結果が正常であって、また、施封金種であり、かつ表裏が裏の状態である紙幣を、搬送路６ｃおよび６ｎを経て施封紙幣集積部７へ搬送するよう制御する。なお、本実施形態では、搬送路６ｎから施封紙幣集積部７に集積する際に紙幣の表裏が逆になるため、鑑別部２により裏と鑑別された紙幣を施封紙幣集積部７へ搬送することで、表紙幣（表の面が上になった紙幣）の施封を実現することができる。
【００６８】
一方、制御部１７は、鑑別部２による鑑別結果が異常であった紙幣、施封金種以外の紙幣、または施封金種であっても表裏が表の状態である紙幣を、搬送路６ｃおよび６ｅを経て接客部１へ搬送するよう制御する。この際、制御部１７は、接客部１へ戻した紙幣の情報（金種および記番号）を記憶部１８に記憶する。
【００６９】
そして、制御部１７は、接客部１へ搬送された紙幣を、接客部１から再度分離することで紙幣の表裏を反転させ、分離した紙幣を鑑別部２に再搬送するよう搬送部（具体的には搬送路６ａ）を制御する。
【００７０】
本実施形態による紙幣処理部１１は、上述した２つの処理（接客部１から鑑別部２への搬送、鑑別部２から施封紙幣集積部７または接客部１への搬送）を繰り返すことにより、施封金種の表裏を自動的に反転させて施封紙幣集積部７に表揃えの紙幣を集積させることができる。また、制御部１７は、記憶部１８に記憶した記番号を参照して、全ての施封金種が施封紙幣集積部７へ搬送されたと判断すると、搬送部による接客部１からの紙幣の分離を停止させる。
【００７１】
ここで、接客部１を利用した紙幣の表裏反転について図５を参照して説明する。図５では、紙幣３０において紙幣の表側を破線、裏側を実線で示している。本実施形態による整理施封取引では、まず、図５（ａ）に示したように鑑別部２で表側が上を向いている状態と鑑別された紙幣３０は、図５（ｂ）に示したように搬送路６ｃおよび６ｅを経て接客部１へ搬送され、集積される。
【００７２】
次いで、図５（ｃ）に示したように接客部１から紙幣３０が分離され、搬送路６ａに送り込まれる。ここで、本実施形態による接客部１は、搬送路６ｅから搬送された紙幣を受け入れる受入口２２と、搬送路６ａに紙幣が繰り出される（分離される）繰出口２３とを有する。そして、受入口２２から受け入れた紙幣３０を繰出口２３から繰り出す際に、受入口２２から受け入れた紙幣３０の後側から繰り出すことで、紙幣３０の表裏が反転する。
【００７３】
したがって、図５（ｄ）に示したように接客部１から分離され、搬送路６ａを経て鑑別部２に再度搬送された紙幣３０は、裏側が上を向いている状態と鑑別され、施封紙幣集積部７へ搬送される。このように、本実施形態では、接客部１の繰出口２３において、受入口２２から受け入れられた際の紙幣３０の後側から当該紙幣３０が繰り出されることで、紙幣の表裏を反転させることができる。
【００７４】
（本実施形態による整理施封の動作フロー）
図６〜図７は、上述した本実施形態による整理施封取引の動作を示すフローチャートである。図６に示したように、まず、操作者が表示部１６に表示されたメニュー画面を操作して整理施封取引を選択し（Ｓ１００）、さらに施封券種（正券、損券、指定券）および施封金種を入力して（Ｓ１０２）、紙幣を接客部１に投入する（Ｓ１０４）。
【００７５】
次に、制御部１７は、接客部１から紙幣を分離して整理施封計数処理を行う（Ｓ１０６）。整理施封計数では、接客部１から分離した紙幣を鑑別部２へ搬送し、鑑別結果に従って、施封金種の裏紙幣（裏の面が上になった紙幣）であれば施封紙幣集積部７へ搬送し、施封紙幣以外の紙幣、リジェクト紙幣、または施封金種の表紙幣の場合は接客部１へ搬送する。そして、接客部１から紙幣を繰り出すことで紙幣の表裏を反転させ、鑑別部２へ再度搬送する。このような整理施封計数処理の詳細については図８〜図１０を参照して後述する。
【００７６】
次いで、施封紙幣集積部７に、施封する所定の枚数、例えば１００枚の紙幣が集積された場合（Ｓ１０８において「Ｙｅｓ」）、制御部１７は、施封紙幣集積部７から施封部８に束搬送を行い、施封部８により束紙幣に施封を行った後、施封部８から小束紙幣を押し出す（排出する）ことでシャッタ９を開き、小束受取位置まで小束紙幣を移動させる（Ｓ１１０）。制御部１７は、操作者が小束紙幣を受取ると、シャッタ９を閉じる。
【００７７】
次に、施封紙幣集積部７から施封部８に束搬送が行われ、施封紙幣集積部７において次の紙幣の集積準備が完了した後、接客部１に残留紙幣がある場合（Ｓ１１２において「Ｙｅｓ」）、上記Ｓ１０６に戻り、整理施封を継続する。なお、処理時間短縮のため、施封紙幣集積部７から施封部８に束搬送が行われて施封紙幣集積部７の集積準備が完了した時点で整理施封計数を開始してもよい。
【００７８】
一方、接客部１に残留紙幣はないが（Ｓ１１２において「Ｎｏ」）、操作者による再投入がある場合（Ｓ１１４において「Ｙｅｓ」）、上記Ｓ１０４に戻り、操作者により接客部１に紙幣が投入され、整理施封を継続する。
【００７９】
また、施封紙幣集積部７に１００枚集積せずに（Ｓ１０８において「Ｎｏ」）、接客部１に残留紙幣が無くなった（接客エンドが検出された）場合（図７に示すＳ１３０／Ｙｅｓ）も、制御部１７は、紙幣の再投入の確認を行う（Ｓ１１４）。
【００８０】
また、接客部１に紙幣はあるが（Ｓ１３０において「Ｎｏ」）、接客部１から紙幣が分離できない（分離不良が発生した）場合（Ｓ１３２において「Ｙｅｓ」）、制御部１７は、操作者に紙幣状態を確認してもらうために接客部１の紙幣の受取を操作者に誘導し（Ｓ１３６）、紙幣の再投入の確認を行う（Ｓ１１４）。
【００８１】
また、接客部１の紙幣を全て計数した場合（Ｓ１３４において「Ｙｅｓ」）、すなわち接客部１に施封紙幣以外の紙幣が残っている状態の場合、制御部１７は接客部１の紙幣の受取を操作者に誘導し（Ｓ１３６）、紙幣の再投入の確認を行う（Ｓ１１４）。一方、ジャム等の障害で計数が終了した場合（Ｓ１３４において「Ｎｏ」）、制御部１７は、操作者にエラー通知を行い、整理施封処理を終了させる。
【００８２】
続いて、紙幣の再投入が無い場合（Ｓ１１４において「Ｎｏ」）、制御部１７は施封紙幣集積部７の残留紙幣の有無を確認し（Ｓ１１６）、残留紙幣が有る場合（Ｓ１１６において「Ｙｅｓ」）、制御部１７は、操作者に端数紙幣を抜き取らせる（Ｓ１１８）。具体的には、例えば表示部１６に施封ユニット（具体的には施封紙幣集積部７）からの端数紙幣抜き取りを通知する。
【００８３】
施封紙幣集積部７に残留紙幣がない場合（Ｓ１１６において「Ｎｏ」）、または端数紙幣が抜き取られると（Ｓ１１８）、制御部１７は、印字部１４により、施封した通番および施封金額等の施封に関する情報を印字した明細票を排出させ（Ｓ１２０）、整理施封処理を終了する。
【００８４】
以上、本実施形態による整理施封処理について説明した。次に、上記Ｓ１０６に示す整理施封計数処理について図８〜図１０を参照して具体的に説明する。
【００８５】
図８〜図１０は、整理施封計数処理を示すフローチャートである。図８に示したように、まず、制御部１７は、接客部１から１枚ずつ紙幣を分離し（Ｓ１４０）、搬送路６ａを経て鑑別部２へ搬送し、鑑別結果が、施封券種（指定された金種と正損種別が一致する紙幣）の裏紙幣か否かを確認する（Ｓ１４２）。なお、本実施形態では、図４に示す構成により、搬送路６ｎから施封紙幣集積部７に集積する際に紙幣の表裏が逆になるため、鑑別部２により裏と鑑別された紙幣を施封紙幣集積部７へ搬送することで、表紙幣の施封を実現することができる。また、この際、鑑別部２は、紙幣の金種、表裏状態、および記番号を鑑別する。
【００８６】
次いで、鑑別結果により施封券種の裏紙幣であることが確認されると（Ｓ１４２において「Ｙｅｓ」）、制御部１７は、当該紙幣を、搬送路６ｃおよび６ｎを経て施封紙幣集積部７へ搬送する。
【００８７】
次に、制御部１７は、施封紙幣集積部７へ搬送した紙幣の記番号に基づいて、当該紙幣の情報を記憶部１８から削除する（Ｓ１４６）。ここで、図１１に本実施形態による紙幣情報のデータ例を示す。図１１（ａ）に示すように、本実施形態では、接客部１へ搬送された（戻された）紙幣の記番号、鑑別結果、および金種が登録される（後述するＳ１６６、Ｓ１７６、Ｓ１９６）。したがって、例えば施封紙幣集積部７へ搬送した紙幣の記番号が「ＡＡ１２３４５６７Ａ」の場合、制御部１７は、図１１（ａ）の紙幣情報１８０−１に含まれる紙幣情報１８１を削除するため、記憶部１８に記憶される紙幣情報１８０は、図１１（ｂ）の紙幣情報１８０−２となる。
【００８８】
なお未登録の紙幣情報の場合（最初に分離した紙幣であった場合）には、削除するための紙幣情報が無いため、制御部１７は何も行わない（Ｓ１４８において「Ｎｏ」）。
【００８９】
次いで、登録済の紙幣情報を削除できた場合（Ｓ１４８において「Ｙｅｓ」）、制御部１７は、紙幣情報１８０に、施封金種（施封部に受け渡す金種）があるか否かの確認を行い（Ｓ１５０）、施封金種が無い場合には（図１１（ｄ）参照）、分離を停止して（Ｓ１５４）、整理施封計数処理を終了する。
【００９０】
続いて、制御部１７は、施封紙幣集積部７に所定の枚数（例えば１００枚）の紙幣を搬送した場合には（Ｓ１５２において「Ｙｅｓ」）、分離を停止して（Ｓ１５４）、整理施封計数処理を終了する。
【００９１】
また、施封紙幣集積部７に所定の枚数の紙幣を搬送していない場合（Ｓ１５２において「Ｎｏ」）、制御部１７は、接客部１からの分離が終了するまで（Ｓ１５６）、接客部１からの紙幣の分離を繰り返す（Ｓ１４０）。接客部１の空検出（エンド検出）、分離異常、またはジャム等のエラーにより分離が終了した場合（Ｓ１５６において「Ｙｅｓ」）、制御部１７は、整理施封計数処理を終了する。
【００９２】
次に、鑑別結果により施封券種の裏紙幣ではないことが確認されると（Ｓ１４２において「Ｎｏ」）、制御部１７は、接客部１で紙幣の表裏を反転させるために、当該紙幣を搬送路６ｃおよび６ｅを経て接客部１へ搬送する（図９に示すＳ１６０）。
【００９３】
ここで、接客部１に戻された紙幣に対し、制御部１７は、紙幣の情報（具体的には鑑別部２により鑑別された金種および記番号）の登録／削除を行う。具体的には、制御部１７は、鑑別結果が施封券種の表紙幣の場合（Ｓ１６２において「Ｙｅｓ」）、該当紙幣の記番号が既に登録済みか否かを確認し（Ｓ１６４）、未登録の場合は新規の不明券であるため該当紙幣の記番号、金種、および鑑別結果を紙幣情報として記憶部１８に記憶する（Ｓ１６６）。なお、記憶部１８は、紙幣情報の記憶領域として、接客部の紙幣容量＋αの領域を有する。
【００９４】
一方、該当紙幣の記番号が登録済みの場合、該当紙幣は接客部１から再分離して再度戻ってきた紙幣であるため、紙幣情報の登録を不可とし（Ｓ１６８）、参照する記憶部１８の紙幣情報のＩｎｄｅｘを次紙幣に更新する（Ｓ１７０）。すなわち、例えば図１１（ａ）に示す紙幣情報１８０−１において、記番号「ＡＡ１２３４５６７Ａ」が登録済みの場合、制御部１７は、紙幣情報の参照対象（Ｉｎｄｅｘ）を次の２枚目に更新する。
【００９５】
また、鑑別結果が施封券種以外で、金種、記番号が特定できた紙幣の場合（Ｓ１６２において「Ｎｏ」、およびＳ１７２において「Ｙｅｓ」）、制御部１７は、該当紙幣の記番号が記憶部１８に登録済か否かの確認を行う（Ｓ１７４）。
【００９６】
該当紙幣の記番号が未登録の場合（Ｓ１７４において「Ｎｏ」）、制御部１７は、新規の不明券であるため該当紙幣の記番号、金種、および鑑別結果を紙幣情報として記憶部１８に記憶する（Ｓ１７６）。
【００９７】
一方、該当紙幣の記番号が登録済みの場合、該当紙幣は接客部１から再分離して再度戻ってきた紙幣であるため、紙幣情報の登録を不可とし（Ｓ１７８）、参照する記憶部１８の紙幣情報のＩｎｄｅｘを次紙幣に更新する（Ｓ１８０）。すなわち、例えば図１１（ａ）に示す紙幣情報１８０−１において、記番号「ＣＣ１２３４５６７Ｃ」が登録済みの場合、制御部１７は、紙幣情報の参照対象（Ｉｎｄｅｘ）を次の５枚目に更新する。
【００９８】
また、鑑別結果が施封券種以外で、金種、記番号が特定できない紙幣の場合（Ｓ１６２において「Ｎｏ」、およびＳ１７２において「Ｎｏ」）、制御部１７は、金種不明枚数を１枚加算し（図１０のＳ１９０）、金種不明枚数が閾値を超えたか否かを確認する（Ｓ１９２）。
【００９９】
金種不明枚数が閾値を超えた場合（Ｓ１９２において「Ｙｅｓ」）、制御部１７は、分離を停止し（Ｓ２０６）、整理施封計数を終了する。
【０１００】
一方、金種不明枚数が閾値を超えていない場合（Ｓ１９２において「Ｎｏ」）、制御部１７は、新規のＲＪ（リジェクト）券の登録が可能か否か判定し（Ｓ１９４）、登録が可能な場合（新規の不明券である場合）には金種不明の紙幣情報を記憶部１８に記憶する（Ｓ１９６）。例えば、制御部１７は、図１１（ａ）に示す紙幣情報１８０−１の２枚目のように、鑑別結果「リジェクト」・金種「不明」として紙幣情報を記憶する。
【０１０１】
また、新規のＲＪ券の登録が不可な場合、該当紙幣は接客部１から再分離して再度戻ってきた紙幣であるため、紙幣情報のＩｎｄｅｘを確認し、該当紙幣が正常紙幣の場合には（Ｓ１９８において「Ｙｅｓ」）、該当紙幣の紙幣情報を金種不明紙幣で再登録する（Ｓ２００）。例えば、金種不明の紙幣が発生した際のＩｎｄｅｘが３枚目の場合、図１１（ｂ）の紙幣情報１８０−２を参照すると３枚目は正常紙幣であるため、制御部１７は、該当する３枚目のデータを、リジェクト（金種不明紙幣）で再登録する（図１１（ｃ）の紙幣情報１８０−３参照）。
【０１０２】
そして、制御部１７は、紙幣情報のＩｎｄｅｘ（参照対象）を次紙幣に更新する（Ｓ２０２）。すなわち、例えば図１１（ｃ）に示す紙幣情報１８０−３において、３枚目を参照していた場合、制御部１７は、紙幣情報のＩｎｄｅｘを次の４枚目に更新する。
【０１０３】
次いで、制御部１７は、記憶部１８に記憶する紙幣情報のうち、施封金種（施封部８に受け渡す金種）があるか否かの確認を行い（Ｓ２０４）、施封金種が無い場合は分離動作を停止して（Ｓ２０６）、整理施封計数処理を終了する。例えば、図１１（ｄ）の紙幣情報１８０−４には施封金種である万券の紙幣情報が無いため、施封金種は全て搬送したと判断できる。
【０１０４】
一方、紙幣情報に施封金種が有る場合は、施封紙幣集積部７に紙幣を所定枚数（例えば１００枚）搬送したか否かを確認し（図８のＳ１５２）、搬送した場合は分離を停止して（Ｓ１５４）、整理施封計数処理を終了する。
【０１０５】
＜４．むすび＞
以上説明したように、本発明の実施形態によれば、特殊な表裏反転機構を備えなくとも、接客部１を介すことで表裏を反転させることができる。
【０１０６】
また、整理施封取引時において、接客部１から鑑別部２への搬送、および鑑別部２から施封紙幣集積部７または接客部１への搬送を繰り返すことで、施封紙幣集積部７に表裏状態を揃えた施封金種を集積することができる。この際、搬送する紙幣の記番号に基づいて、全ての施封金種を施封紙幣集積部７へ搬送したかを判断し、全ての施封金種を搬送したと判断できた場合に接客部１からの紙幣の分離を停止するよう制御することにより、他の一時集積庫を使用せずに、表裏を揃えた施封を行うことができる。
【０１０７】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０８】
例えば、上述した実施形態では、施封紙幣集積部７へ搬送した紙幣の情報を紙幣情報１８０から削除し（Ｓ１４４、Ｓ１４６）、紙幣情報１８０内に施封金種が無い場合に（Ｓ１５０において「Ｎｏ」）全ての施封金種の施封紙幣集積部７への搬送が終了したと判断しているが、施封金種の搬送終了判断はこれに限定されない。例えば、制御部１７は、施封紙幣集積部７へ搬送した紙幣の情報が紙幣情報１８０内にある場合、フラグを立てる等して施封紙幣集積部７へ搬送したことが分かるようにしてもよい。これにより、制御部１７は、紙幣情報１８０を参照して全ての施封金種を施封紙幣集積部７へ搬送したか否かを判断することができる。
【０１０９】
また、本明細書の現金処理装置１０の処理における各ステップは、必ずしもフローチャートとして記載された順序に沿って時系列に処理する必要はない。例えば、現金処理装置１０の処理における各ステップは、説明した順序と異なる順序で処理されても、並列的に処理されてもよい。
【０１１０】
また、現金処理装置１０に内蔵されるＣＰＵ、ＲＯＭおよびＲＡＭなどのハードウェアを、上述した現金処理装置１０の制御部１７と同等の機能を発揮させるためのコンピュータプログラムも作成可能である。また、該コンピュータプログラムを記憶させた記憶媒体も提供される。また、紙幣処理部１１、硬貨処理部１２に内蔵されるＣＰＵ、ＲＯＭおよびＲＡＭ等を実装している場合には、制御部１７と同様な機能を発揮させる事もできる。
【符号の説明】
【０１１１】
１      接客部
２      鑑別部
３      一時保留部
４ａ〜４ｄ  紙幣カセット
５      リジェクト庫
６ａ〜６ｎ  搬送路
７    施封紙幣集積部
８    施封部
９    シャッタ（小束出金口）
１０    現金処理装置
１１    紙幣処理部
１１ａ    紙幣投入口
１１ｂ    紙幣異物返却部
１２    硬貨処理部
１３    カードリーダ部
１４    印字部
１５    操作部
１６    表示部
１７    制御部
１８    記憶部
１９    接客口
２２    受入口
２３    繰出口
３０    紙幣
【図１】
2016071574.tif 000003
【図２】
2016071574.tif 000004
【図３】
2016071574.tif 000005
【図４】
2016071574.tif 000006
【図５】
2016071574.tif 000007
【図６】
2016071574.tif 000008
【図７】
2016071574.tif 000009
【図８】
2016071574.tif 000010
【図９】
2016071574.tif 000011
【図１０】
2016071574.tif 000012
【図１１】
2016071574.tif 000013